(57)【要約】      （修正有）【課題】ピックアップをギターの内部に設置する場合に、ギターの音響特性や原形を損なわずに電気信号を外部に取り出すことができるギターの電気信号取り出し機構を提供する。【解決手段】ギターの電気信号取り出し機構１０は、ギター本体２の内部に設けられたピックアップと、このピックアップに一端部が接続され且つ電気信号を取り出す為のケーブル１２と、このケーブル１２の他端部が接続され且つ電気信号を外部に出力する為のジャック機構１３とを有する。また、エンドピン８は、内径６．５ｍｍ以下に設定され且つジャック機構１３を収容可能な収容孔８ｄと、この収容孔８ｄの奥端に直通すると共に収容孔８ｄよりも小径に形成されたケーブル導入孔８ｅとを備え、ジャック機構１３は、収容孔８ｄ内に外側から組み込み可能な一体品に構成され且つ収容孔８ｄに外側から挿入して組み込まれている。【選択図】図２
0003176690.tif 000002
【実用新案登録請求の範囲】
【請求項１】
ギター本体を吊り下げるストラップを前記ギター本体に連結可能なエンドピンであって前記ギター本体に貫通状に取り付けられたエンドピンを備えたギターの演奏音を電気信号に変換して出力可能なギターの電気信号取り出し機構において、
前記ギター本体の内部に設けられたピックアップと、このピックアップに一端部が接続され且つ前記電気信号を取り出す為のケーブルと、このケーブルの他端部が接続され且つ前記電気信号を外部に出力する為のジャック機構とを有し、
前記エンドピンは、内径６．５ｍｍ以下に設定され且つ前記ジャック機構を収容可能な収容孔と、この収容孔の奥端に直通すると共に前記収容孔よりも小径に形成されたケーブル導入孔とを備え、
前記ジャック機構は、前記収容孔内に外側から組み込み可能な一体品に構成され且つ前記収容孔に外側から挿入して組み込まれたことを特徴とするギターの電気信号取り出し機構。
【請求項２】
前記ジャック機構は、ばね性のある金属薄板から夫々構成された複数の接続端子と、これら複数の接続端子を一体的に保持する保持部材とを備え、
前記複数の接続端子の各々は、プラグに電気的に接触する拡縮可能な接触部を有することを特徴とする請求項１に記載のギターの電気信号取り出し機構。
【請求項３】
少なくとも１つの前記接触部はＵ字状に形成され、
前記保持部材は、合成樹脂製の部材で構成され且つ底部とこの底部に連なるスリーブ部とを備え、
前記Ｕ字状の接触部は、前記スリーブ部に貫通状に固定されると共に、前記接触部に連なる脚部が、前記スリーブ部の外周に沿うように当接されることを特徴とする請求項２に記載のギターの電気信号取り出し機構。
【請求項４】
少なくとも１つの前記接触部はＣ型の円環状に形成され、
前記保持部材は、前記複数の接続端子の脚部を保持する合成樹脂製の平板部材で構成されたことを特徴とする請求項２に記載のギターの電気信号取り出し機構。
【請求項５】
前記ジャック機構が、外径３．５ｍｍのフォンプラグに接続可能な構成、又は、外径２．５ｍｍのフォンプラグに接続可能な構成、又は、マイクロプラグに接続可能な構成の何れかであることを特徴とする請求項１〜４の何れか１項に記載のギターの電気信号取り出し機構。
【請求項６】
前記ジャック機構が、モノラル出力用の２接点構成、又は、ステレオ出力用の３接点構成であることを特徴とする請求項１〜５の何れか１項に記載のギターの電気信号取り出し機構。
【考案の詳細な説明】
【技術分野】
【０００１】
本考案はギターの電気信号取り出し機構に関して、特にアコースティックギター、クラッシックギター、ピックギター等の箱型ギターにピックアップを設置する場合に、ギターの鳴りや外観を損なわずに電気信号を外部に取り出すことができるものに関する。
【背景技術】
【０００２】
従来から、ギターの演奏形態として、演奏者が座って演奏する形態と、演奏者が立って演奏する形態との２パターンがある。主に後者の場合、演奏者は、ギターに取り付けられたストラップを介してギターを肩から吊り下げて演奏するのが主流である。このギターを吊り下げる手段として、ギター本体の側面板のネック近傍部又はネックのギター本体との接続部近傍にストラップピンが設けられ、ギター本体の側面板の底部にエンドピンが設けられ、この１対のピンを介してストラップがギター本体に取り付けられている場合や、ストラップの一端をギターのネック先端に紐等で固定し、他端をギター本体の側面板の底部に設けられたエンドピンに固定することで、ストラップがギター本体に取り付けられている場合等がある。エンドピンの材質としては、プラスチック等の合成樹脂製や木製のものが主流であるが、稀に金属製のものも販売されている。
【０００３】
本来、アコースティックギター、クラッシックギターやピックギター等は、演奏音を電気信号に変換して外部に出力する機能は備えていないので、大勢の聴衆の前で演奏する場合、ギターから発する演奏音をマイクで別途取り込み、マイクに接続された拡声装置を介して聴衆に聴かせている。しかし、拡声装置の音量を大きくすると、ハウリングが起こったり、また、演奏時の演奏者の動作でマイクと楽器の位置がずれてしまうと、演奏音を安定して取り込めないという問題がある。
【０００４】
昨今では、ギター本体にピックアップを取り付け、ピックアップを介して演奏音を電気信号に変換して、この電気信号を拡声装置に送信して拡声する場合が多い。このようにピックアップを使用することで、演奏音に対応した電気信号を安定して取り出し可能になるので、電気的に音響効果を付加する種々のエフェクタ装置を接続することが可能となり、楽器の表現の幅を広げることができる。
【０００５】
ところで、上記の各種ギターにピックアップを取り付ける場合、設計時からピックアップの取り付けを考慮して楽器としての音響設計を行う場合と、既に楽器として完成したものに追加的に取り付ける場合がある。特に後者の場合、ピックアップの出力配線が楽器表面に露出してしまうと、演奏に支障をきたしたり、外観（美観）を損ねるという問題が生じてしまう。
【０００６】
そこで、上記の問題を解決する手段として、特許文献１や図８，図９示すように、ギター本体の内部にピックアップを取り付け、ギター本体の側面板や背面板に孔あけ加工を施して信号出力用の接続部材を設け、この接続部材を介して、ピックアップからの電気信号を外部に出力する構造が実用化されている。
【０００７】
図８は、アコースティックギター５１から電気信号を取り出す為の第１の従来例を示したものである。図８では、ギター本体５２の内部にピックアップ５３を取り付け、ギター本体５２の側面板にキャノンコネクタ５５を固定している。キャノンコネクタ５５は、ギター本体５２の側面板に孔あけ加工を施し、この孔にキャノンコネクタ５５を挿入して、複数のビスによって固定されている。ピックアップ５３からの電気信号は、リード線５４を介してキャノンコネクタ５５から外部に出力される。尚、キャノンコネクタ５５に代えて標準ジャックを採用しても良い。
【０００８】
図９は、アコースティックギター５１から電気信号を取り出す為の第２の従来例を示したものである。図９では、ギター本体５２の内部にピックアップ５３を取り付け、ギター本体５２の側面板に、従来のエンドピン５６に代えてエンドピンジャック５７を固定している。エンドピンジャック５７は、従来のエンドピン５６を拡径して金属製のものとし、この内部に標準ジャック（φ６．３ｍｍフォンプラグに対応したジャック）を組み込みこんで一体構成されたものである。ピックアップ５３からの電気信号は、リード線５４を介してエンドピンジャック５７から外部に出力される。従来のエンドピン５６に代えてエンドピンジャック５７を採用することで、極力原形を損ねないように考慮されている。
【先行技術文献】
【特許文献】
【０００９】
【特許文献１】特開２０１０−１９１２６３号公報
【考案の概要】
【考案が解決しようとする課題】
【００１０】
しかし、特許文献１、図８の構造では、ギター本体の側面板に追加的な孔あけ加工が必要となり、図９の構造では、標準ジャックを一体的に組み込んだエンドピンジャックを採用することで、従来のエンドピンの為の取付孔を広げる加工が必要となる。このため、特許文献１や図８，図９の何れにおいても、ギター本体の側面板に追加的な加工を施す必要がある。
【００１１】
具体的に、ギター本体の側面板に対して、上記のキャノンコネクタや標準ジャックを取り付ける場合、側面板には内径１２ｍｍ以上の孔を新たに開ける必要がある。また、標準ジャックと一体となったエンドピンを取り付ける場合、既存のエンドピンの取付孔を内径１２ｍｍ以上に広げる必要がある。
【００１２】
ところが、アコースティックギター、クラッシックギター、ピックギター等の箱型のギターは、そのギター本体を共鳴体又は共鳴箱として音色を発するものであり、ギター本体に加工を施すことは、少なからずその音響特性に影響を及ぼすという問題がある。
【００１３】
音楽の特性上、より良い表現を追及すると、より繊細な構造の高価なギターを用いたり、歴史的な価値の高い希少なギターを用いたりする必要が生じてくるが、これらの多くは電気的な出力機能を有さないものである。従って、これらにピックアップを付加して電気的な出力構造を設けようとした場合、ギター本体に孔あけ加工を施すこととなり、その音響特性を大きく損ねたり、原形が損なわれて、特に高価なギターや希少価値の高いギターにおいては、その価値が大きく下がってしまうという問題がある。
【００１４】
本考案の目的は、ピックアップをギター本体の内部に設置する場合に、ギターの音響特性や原形を損なわずに電気信号を外部に取り出すことができるギターの電気信号取り出し機構を提供すること、等である。
【課題を解決するための手段】
【００１５】
請求項１のギターの電気信号取り出し機構は、ギター本体を吊り下げるストラップを前記ギター本体に連結可能なエンドピンであって前記ギター本体に貫通状に取り付けられたエンドピンを備えたギターの演奏音を電気信号に変換して出力可能なギターの電気信号取り出し機構において、前記ギター本体の内部に設けられたピックアップと、このピックアップに一端部が接続され且つ前記電気信号を取り出す為のケーブルと、このケーブルの他端部が接続され且つ前記電気信号を外部に出力する為のジャック機構とを有し、前記エンドピンは、内径６．５ｍｍ以下に設定され且つ前記ジャック機構を収容可能な収容孔と、この収容孔の奥端に直通すると共に前記収容孔よりも小径に形成されたケーブル導入孔とを備え、前記ジャック機構は、前記収容孔内に外側から組み込み可能な一体品に構成され且つ前記収容孔に外側から挿入して組み込まれたことを特徴としている。
【００１６】
請求項２のギターの電気信号取り出し機構は、請求項１の考案において、前記ジャック機構は、ばね性のある金属薄板から夫々構成された複数の接続端子と、これら複数の接続端子を一体的に保持する保持部材とを備え、前記複数の接続端子の各々は、プラグに電気的に接触する拡縮可能な接触部を有することを特徴としている。
【００１７】
請求項３のギターの電気信号取り出し機構は、請求項２の考案において、少なくとも１つの前記接触部はＵ字状に形成され、前記保持部材は、合成樹脂製の部材で構成され且つ底部とこの底部に連なるスリーブ部とを備え、前記Ｕ字状の接触部は、前記スリーブ部に貫通状に固定されると共に、前記接触部に連なる脚部が、前記スリーブ部の外周に沿うように当接されることを特徴としている。
【００１８】
請求項４のギターの電気信号取り出し機構は、請求項２の考案において、少なくとも１つの前記接触部はＣ型の円環状に形成され、前記保持部材は、前記複数の接続端子の脚部を保持する合成樹脂製の平板部材で構成されたことを特徴としている。
【００１９】
請求項５のギターの電気信号取り出し機構は、請求項１〜４の何れか１項の考案において、前記ジャック機構が、外径３．５ｍｍのフォンプラグに接続可能な構成、又は、外径２．５ｍｍのフォンプラグに接続可能な構成、又は、マイクロプラグに接続可能な構成の何れかであることを特徴としている。
【００２０】
請求項６のギターの電気信号取り出し機構は、請求項１〜５の何れか１項の考案において、前記ジャック機構が、モノラル出力用の２接点構成、又は、ステレオ出力用の３接点構成であることを特徴としている。
【考案の効果】
【００２１】
請求項１の考案によれば、エンドピンは、内径６．５ｍｍ以下に設定され且つジャック機構を収容可能な収容孔と、この収容孔の奥端に直通すると共に収容孔よりも小径に形成されたケーブル導入孔とを備え、ジャック機構は、収容孔内に外側から組み込み可能な一体品に構成され且つ収容孔に外側から挿入して組み込まれたので、ギター本体に形成された既存のエンドピンの為の取付孔を利用することで、ギター本体への追加的な孔あけ加工が不要となり、楽器としての音響特性への影響を最小限に抑制することができ、演奏性、表現性を向上させることができる。また、高価な楽器や希少価値の高い楽器への加工による価値低下を回避することができる。
【００２２】
請求項２の考案によれば、ジャック機構は、ばね性のある金属薄板から夫々構成された複数の接続端子と、これら複数の接続端子を一体的に保持する保持部材とを備え、複数の接続端子の各々は、プラグに電気的に接触する拡縮可能な接触部を有するので、プラグをジャック機構に挿入した場合、接触部がプラグの外径に対応して拡径することで、プラグとの間の電気的な接続を維持すると共にプラグを接触部で確実に保持することができる。
【００２３】
請求項３の考案によれば、少なくとも１つの接触部はＵ字状に形成され、保持部材は、合成樹脂製の部材で構成され且つ底部とこの底部に連なるスリーブ部とを備え、Ｕ字状の接触部は、スリーブ部に貫通状に固定されると共に、接触部に連なる脚部が、スリーブ部の外周に沿うように当接されるので、保持部材とジャック機構とを一体的に構成することができる。
【００２４】
請求項４の考案によれば、少なくとも１つの接触部はＣ型の円環状に形成され、保持部材は、複数の接続端子の脚部を保持する合成樹脂製の平板部材で構成されたので、保持部材とジャック機構とを一体的に構成することができる。
【００２５】
請求項５の考案によれば、ジャック機構が、外径３．５ｍｍのフォンプラグに接続可能な構成、又は、外径２．５ｍｍのフォンプラグに接続可能な構成、又は、マイクロプラグに接続可能な構成の何れかであるので、汎用のジャック構造を採用することができ、基本的に請求項１〜４と同様の効果を奏する。
【００２６】
請求項６の考案によれば、ジャック機構が、モノラル出力用の２接点構成、又は、ステレオ出力用の３接点構成であるので、基本的に請求項１〜４と同様の効果を奏する。
【図面の簡単な説明】
【００２７】
【図１】本考案の実施例１に係る電気信号取り出し機構が適用されたギターの概略斜視図である。
【図２】エンドピンとジャック機構の断面図である。
【図３】ジャック機構の断面図である
【図４】図３のVI-VI線断面図である。
【図５】実施例２に係るエンドピンとジャック機構の断面図である。
【図６】ジャック機構の断面図である
【図７】ジャック機構の開口側からの正面図である。
【図８】第１の従来例を示したギターの概略斜視図である。
【図９】第２の従来例を示したギターの概略斜視図である。
【考案を実施するための形態】
【００２８】
以下、本考案を実施するための形態について実施例に基づいて説明する。
【実施例１】
【００２９】
本考案は、ギターの電気信号取り出し機構に関するものであるが、最初に、本考案の電気信号取り出し機構が適用されるギターについて簡単に説明する。
図１に示すように、ギター１は、ギター本体２（所謂ボディ）と、ギター本体２の先端側部分に設けられたネック３とから構成され、ギター本体２とネック３との間に複数の弦４（例えば、６本の弦）が張られている。このギター１は、ギター本体２に設置された電気信号取り出し機構１０を介してギター１の演奏音を外部に電気信号として出力可能に構成されている。
【００３０】
ギター本体２は、スプルース等からなる平板状の表面板５と、マホガニー等からなる平板状の背面板６と、曲線状に湾曲した側面板７とから中空状に一体的に構成されている。表面板５にはサウンドホール５ａやブリッジ５ｂ等が設けられ、このブリッジ５ｂに複数の弦４の一端部が連結されている。複数の弦４はブリッジ５ｂから延びサウンドホール５ａの外側を通って、その他端部がネック３の先端部に連結されている。
【００３１】
このギター１は、箱状に構成されたギター本体２を共鳴器として使用して音を拡声する、所謂、アコースティックギターであり一般的な構成のものなので、これ以上の詳細な説明は省略する。
【００３２】
次に、エンドピン８について説明する。
図１に示すように、エンドピン８は、ギター本体２を吊り下げるストラップの一端部をギター本体２に連結可能なものであり、ギター本体２の側面板７の底部に貫通状に取り付けられている。図示は省略するが、ストラップの他端部は、ギター本体２の側面板７のネック３近傍部又はネック３のギター本体２との接続部近部に取り付けられたストラップピンに連結されるか、ネック３の先端の弦４との連結部近傍に紐等で連結される。
【００３３】
図２に示すように、エンドピン８は、合成樹脂製のものであり、頭部８ａと、この頭部８ａのギター本体２側に連なり且つ外周面がギター本体２側程小径化するテーパ状の挿入部８ｂとから一体的に形成されているが、このエンドピン８の外観形状は、既存のエンドピンと同じ外観形状である。
【００３４】
エンドピン８をギター本体２に固定する場合、挿入部８ｂをギター本体２の側面板７に形成されたテーパ状の取付孔７ａに挿入することで、エンドピン８をギター本体２に固定することができる。頭部８ａには環状溝８ｃが形成され、この環状溝８ｃにストラップの一端部の係合部（図示略）が係合される。
【００３５】
さらに、エンドピン８は、内径６．５ｍｍ以下に設定され且つ後述するジャック機構１３を収容可能な収容孔８ｄと、この収容孔８ｄの奥端に直通すると共に収容孔８ｄよりも小径に形成されたケーブル導入孔８ｅとを備えている。ケーブル導入孔８ｅは、収容孔８ｄの長さの約１／２倍程度の長さを有している。尚、これら収容孔８ｄとケーブル導入孔８ｅを備えたエンドピン８は、後述する電気信号取り出し機構１０に含まれるものである。
【００３６】
次に、電気信号取り出し機構１０について説明する。
図１〜図４に示すように、電気信号取り出し機構１０は、ギター１の演奏音を電気信号に変換して外部に出力可能なものであり、上記のエンドピン８に加えて、ギター本体２の内部に設けられたピックアップ１１と、このピックアップ１１に一端部が接続され且つ電気信号を取り出す為のケーブル１２と、このケーブル１２の他端部が接続され且つ電気信号を外部に出力する為のジャック機構１３とを有している。
【００３７】
図１に示すように、ピックアップ１１は、複数の弦４の振動を、例えば圧電素子を介して電気信号として検出可能なものであり、ギター本体２の内部の適当な位置に取り付けられる。ピックアップ１１は、アコースティックギター等の演奏音を電気信号に変換可能な公知なものが採用されるので、これ以上の詳細な説明は省略する。
【００３８】
図１〜図４に示すように、ケーブル１２は、ピックアップ１１とジャック機構１３との間を電気的に接続するものであり、ギター本体２の内部に配置されている。ケーブル１２のエンドピン８側端部は、エンドピン８のケーブル導入孔８ｅに収容され後述するジャック機構１３に接続されている（図２参照）。本実施例では、ケーブル１２は、接地線１２ａと１対の信号線１２ｂ，１２ｃとからなる３本線を編組シールドで覆って構成される、つまり、一般的なステレオ出力用の３接点構成のシールドケーブルで構成されている。
【００３９】
次に、ジャック機構１３について説明する。
図２〜図４に示すように、ジャック機構１３は、ばね性のある細長い金属薄板から夫々構成された複数の接続端子１５〜１７と、これら複数の接続端子１５〜１７を一体的に保持する合成樹脂製の保持部材１８とを備えている。ジャック機構１３は、エンドピン８の収容孔８ｄに殆ど隙間無しに挿入装着できるように、外径６．５ｍｍ又は６．５ｍｍより僅かに小さい外径に設定されている。
【００４０】
ジャック機構１３は、収容孔８ｄ内に外側（開口側）から組み込み可能な一体品に構成され且つ収容孔８ｄに外側から挿入して組み込まれている。尚、外径３．５ｍｍのＴＲＳフォンプラグＰに対応した汎用のジャックでは、外径が６．５ｍｍ以下には収まらず、本実施例のようなエンドピン８の収容孔８ｄに一体的に組み込むことはできない。
【００４１】
次に、複数の接続端子１５〜１７について説明する。
図２〜図４に示すように、複数の接続端子１５〜１７は、ステレオ入出力に対応可能に３本から構成され、外径３．５ｍｍの汎用のＴＲＳフォンプラグＰに接続可能に構成されている。複数の接続端子１５〜１７は、プラグＰの基端側のスリーブＳに対応した接地用の第１接続端子１５と、中間部のリングＲに対応した右チャンネル用（又は逆相用）の第２接続端子１６と、先端側のチップＴに対応して左チャンネル用（又は正相用）の第３接続端子１７とからなる。尚、複数の接続端子１５〜１７は、モノラル入出力（平衡接続）にも対応可能である。
【００４２】
第１接続端子１５は、エンドピン８の軸心８ｆと平行方向に延びる細長い脚部１５ａと、この脚部１５ａの先端部から下方に向って直角に屈曲して延びる接触部１５ｂとを有している。接触部１５ｂは、下方に向って開口したコ字状又はＵ字状に形成されている。脚部１５ａの基端部（ケーブル１２側部分）は、ケーブル１２の接地線１２ａに半田を介して接続されている。
【００４３】
第２接続端子１６は、エンドピン８の軸心８ｆと平行方向に延び且つ第１接続端子１５の脚部１５ａより短い細長い脚部１６ａと、この脚部１６ａの先端部から上方に向かって直角に屈曲して延びる接触部１６ｂとを有している。接触部１６ｂは、上方に向って開口したコ字状又はＵ字状に形成されている。脚部１６ａの基端部は、ケーブル１２の右チャンネル用の信号線１２ｂに半田を介して接続されている。
【００４４】
第３接続端子１７は、エンドピン８の軸心８ｆと直交する方向に延びる平板状の底部１７ａと、この底部１７ａの両端部から開口側に向って直角に屈曲して延びる接触部１７ｂとを有している。接触部１７ｂは、開口側に向って開口したコ字状又はＵ字状に形成されている。底部１７ａは、ケーブル１２の左チャンネル用の信号線１２ｃに半田を介して接続されている。
【００４５】
次に、保持部材１８について説明する。
図２〜図４に示すように、保持部材１８は、絶縁体である合成樹脂製の部材からなる２分割体で構成されている。保持部材１８は、ブロック状の底部１８ａと、この底部１８ａに連なり収容孔８ｄの開口側に延びるスリーブ部１８ｂとを備えている。スリーブ部１８ｂの外周部には、エンドピン８の軸心８ｆと平行方向に延びる対向する１対の平坦部１８ｄが形成されている。保持部材１８は、スリーブ部１８ｂの先端部分の環状凹部１８ｃにガイドリング１９が嵌合されて一体的に保持されている。このガイドリング１９は、ジャック機構１３を収容孔８ｄに挿入した際に収容孔８ｄの開口側端部の環状段部に係止される。
【００４６】
次に、複数の接続端子１５〜１７の保持部材１８に対する固定構造について説明する。
図２〜図４に示すように、第１接続端子１５の接触部１５ｂは、スリーブ部１８ｂの上側平坦部１８ｄの先端部分に上方から貫通状に固定され、軸心８ｆと直交するようにスリーブ部１８ｂ内に突出している。接触部１５ｂに連なる脚部１５ａは、上側平坦部１８ｄに沿うように当接されている。
【００４７】
第２接続端子１６の接触部１６ｂは、スリーブ部１８ｂの下側平坦部１８ｄの途中部分に下方から貫通状に固定され、軸心８ｆと直交するようにスリーブ部１８ｂ内に突出している。接触部１６ｂに連なる脚部１６ａは、下側平坦部１８ｄに沿うように当接されている。
【００４８】
第３接続端子１７の接触部１７ｂは、保持部材１８の底部１８ａに収容孔８ｄの奥端側から開口側に向けて貫通状に固定され、軸心８ｆと平行となるようにスリーブ部１８ｂ内に突出している。接触部１７ｂに連なる底部１７ａは、底部１８ａの奥端面に当接されている。
【００４９】
複数の接続端子１５〜１７の各々の接触部１５ｂ〜１７ｂは、エンドピン８の収容孔８ｄにプラグＰを挿入する前は、プラグＰの外径より小さい縮小状態を維持し、プラグＰが収容孔８ｄに挿入された場合、プラグＰの外径に沿うように軸心と直行する方向に拡径した状態になることで、ジャック機構１３とプラグＰとの間の電気的な接続を維持する。
【００５０】
次に、本考案の電気信号取り出し機構１０の作用及び効果について説明する。
図１，図２に示すように、ギター本体２に対して、電気信号取り出し機構１０を取り付ける。このとき、既存のエンドピンに代えて、ジャック機構１３が一体的に組み込まれたエンドピン８を取付孔７ａに挿入する。次に、エンドピン８の内部に組み込まれたジャック機構１３に、汎用のＴＲＳフォンプラグＰを挿入し、上述のように各端子ＴＲＳを複数の接続端子１５〜１７に電気的に夫々接続する。
【００５１】
ジャック機構１３にプラグＰを挿入した状態で演奏者がギター１を演奏すると、この演奏音はピックアップ１１により電気信号に変換され、この変換された電気信号はケーブル１２を伝達してジャック機構１３に送られ、このジャック機構１３に挿入されたプラグＰを介して、エフェクタ装置やアンプ等に送られる。
【００５２】
このように、エンドピン８は、内径６．５ｍｍ以下に設定され且つジャック機構１３を収容可能な収容孔８ｄと、この収容孔８ｄの奥端に直通すると共に収容孔８ｄよりも小径に形成されたケーブル導入孔８ｅとを備え、ジャック機構１３は、収容孔８ｄ内に外側から組み込み可能な一体品に構成され且つ収容孔８ｄに外側から挿入して組み込まれたので、既存のエンドピンの為の取付孔７ａを利用することで、ギター本体２への追加的な孔あけ加工が不要となり、楽器としての音響特性への影響を最小限に抑制することができ、演奏性、表現性を向上させることができる。また、高価な楽器や希少価値の高い楽器への加工による価値低下を回避することができる。
【００５３】
また、ジャック機構１３は、ばね性のある金属薄板から夫々構成された複数の接続端子１５〜１７と、これら複数の接続端子１５〜１７を一体的に保持する保持部材１８とを備え、複数の接続端子１５〜１７の各々は、プラグＰに電気的に接触する拡縮可能な接触部１５ｂ〜１７ｂを有するので、プラグＰをジャック機構１３に挿入した場合、接触部１５ｂ〜１７ｂがプラグＰの外径に対応して拡径することで、プラグＰとの間の電気的な接続を維持すると共にプラグＰを接触部１５ｂ〜１７ｂで確実に保持することができる。
【００５４】
さらに、少なくとも１つの接触部１５ｂ〜１７ｂはＵ字状に形成され、保持部材１８は、合成樹脂製の部材で構成され且つ底部１８ａとこの底部１８ａに連なるスリーブ部１８ｂとを備え、Ｕ字状の接触部１５ｂ〜１７ｂは、スリーブ部１８ｂに貫通状に固定されると共に、接触部１５ｂ〜１７ｂに連なる脚部１５ａ〜１７ａが、スリーブ部１８ｂの外周に沿うように当接されるので、保持部材１８とジャック機構１３とを一体的に構成することができる。
【００５５】
加えて、ジャック機構１３に対して３接点構成を採用する場合、例えば、ピックアップ１１をギター本体２の２カ所に付設すると、各電気信号を個別に取り出すことができるようになり、音色の表現性を向上する事ができる。ジャック機構１３を小型化することで、コンタクト面積が小さくなり、ジャック機構１３の圧接力も弱くなるため、プラグＰが抜けやすくなる虞はあるが、ステレオ出力用の３接点構成を採用することで、モノラル用の２接点構成より保持力が高く、プラグＰを抜け難くすることができる。
【実施例２】
【００５６】
次に、上記の電気信号取り出し機構１０のジャック機構１３を部分的に変更した実施例２のジャック機構１３Ａについて説明するが、実施例１と同様の構成要素には同様の参照符号を付して説明を省略し、異なる構成要素についてのみ説明する。
【００５７】
図５〜図７に示すように、ジャック機構１３Ａは、ばね性のある細長い金属薄板から夫々構成された複数の接続端子２１〜２３と、これら複数の接続端子２１〜２３を一体的に保持する保持部材２４とを備えている。ジャック機構１３Ａは、エンドピン８の収容孔８ｄに殆ど隙間無しに挿入装着できるように、外径６．５ｍｍ又は６．５ｍｍより僅かに小さい外径に設定されている。このジャック機構１３Ａは、収容孔８ｄ内に外側から組み込み可能な一体品に構成され且つ収容孔８ｄに外側から挿入して組み込まれている。
【００５８】
複数の接続端子２１〜２３は、ステレオ入出力に対応可能に３本から構成され、本実施例では、外径３．５ｍｍの汎用のＴＲＳフォンプラグＰに接続可能に構成されたものである。複数の接続端子２１〜２３は、プラグＰの基端側のスリーブＳに対応した接地用の第１接続端子２１と、途中部のリングＲに対応した右チャンネル用の第２接続端子２２と、先端側のチップＴに対応して左チャンネル用の第３接続端子２３とを備えている。
【００５９】
第１接続端子２１は、エンドピン８の軸心８ｆと平行方向に延びる細長い脚部２１ａと、この脚部２１ａの先端部から下方に直角に屈曲して延びる接触部２１ｂとを有している。接触部２１ｂは、下端部分が開口したＣ型の円環状に形成されている。脚部２１ａの基端部は、ケーブル１２の接地線１２ａに半田を介して接続されている。
【００６０】
第２接続端子２２は、エンドピン８の軸心８ｆと平行方向に延び且つ第１接続端子２１の脚部２１ａより短い細長い脚部２２ａと、この脚部２２ａの先端部から上方に直角に屈曲して延びる接触部２２ｂとを有している。接触部２２ｂは、上端部分が開口したＣ型の円環状に形成されている。脚部２２ａの基端部は、ケーブル１２の右チャンネル用の信号線１２ｂに半田を介して接続されている。
【００６１】
第３接続端子２３は、エンドピン８の軸心８ｆと平行方向に延び且つ第１，第２接続端子２１，２２よりも短い細長い脚部２３ａと、この脚部２３ａの先端部に延長状に形成された接触部２３ｂとを有している。接触部２３ｂは、エンドピン８の軸心８ｆに向って屈曲したくの字状に形成されている。脚部２３ａの基端部は、ケーブル１２の左チャンネル用の信号線１２ｃに半田を介して接続されている。
【００６２】
保持部材２４は、複数の接続端子２１〜２３の脚部２１ａ〜２３ａを保持する絶縁体である合成樹脂製の真円形の平板部材で構成されている。具体的に、保持部材２４は、周方向に９０°の間隔をあけて配置された複数の脚部２１ａ〜２３ａの基端側部分を埋め込み状に夫々保持している。ジャック機構１３Ａの外径は、保持部材２４の外径で規定される。
【００６３】
第１，第２接続端子２１，２２の各々の接触部２１ｂ，２２ｂは、エンドピン８の収容孔８ｄにプラグＰを挿入する前は、プラグＰの外径より小さい縮小状態を維持し、収容孔８ｄにプラグＰを挿入した場合、接触部２１ｂ，２２ｂがプラグＰの外径に沿うように拡径状態になることで、ジャック機構１３ＡとプラグＰとの間の電気的な接続を維持する。
【００６４】
第３接続端子２３の接触部２３ｂは、収容孔８ｄにプラグＰが挿入された場合、プラグＰの外周面に軸心８ｆと直交する方向へ押圧され外側に移動するが、バネ性の金属薄板から構成されているので、接触部２３ｂは、弾性力によりプラグＰの外周部に確実に押圧され、ジャック機構１３ＡとプラグＰとの間の電気的な接続を維持する。尚、収容孔８ｄの開口側の端部には、ガイドリング１９が嵌合されている。
【００６５】
このように、少なくとも１つの接触部はＣ型の円環状に形成され、保持部材２４は、複数の接続端子２１〜２３の脚部２１ａ〜２３ａを保持する合成樹脂製の平板部材で構成されたので、保持部材２４とジャック機構１３Ａとを一体的に構成することができる。
【００６６】
次に、前記実施例を部分的に変更した変更例について説明する。
［１］前記実施例１，２のジャック機構１３，１３Ａは、外径３．５ｍｍのフォンプラグＰに接続可能な構成であるが、この構成に代えて、外径２．５ｍｍのフォンプラグに接続可能な構成、又は、マイクロプラグに接続可能な構成を採用しても良く、種々の汎用のジャック構造を採用することができる。この場合、ジャック機構１３，１３Ａの外径もプラグのサイズに応じて小径に形成可能であり、この小径化された外径に応じて、エンドピン８の収容孔８ｄの内径も６．５ｍｍ以下であれば適宜変更することができる。
【００６７】
［２］前記実施例１，２のケーブル１２として、ステレオ出力用の３接点構成を採用しているが、第１接続端子１５，２１と第３接続端子１７，２３、又は、第２接続端子１６，２２と第３接続端子１７，２３からなるモノラル出力用の２接点構成を採用しても良い。
【００６８】
［３］前記実施例１，２のエンドピン８とジャック機構１３，１３Ａとを一体品とする方法としては、ジャック機構１３，１３Ａをエンドピン８の収容孔８ｄに収容後、接着剤を介して接着して固定する方法、又は、ジャック機構１３，１３Ａを収容孔８ｄに圧入して固定する方法、又は、ジャック機構１３をエンドピン８にインサート成形する方法など、種々の方法を採用することができる。
【００６９】
［４］その他、当業者であれば、本考案の趣旨を逸脱することなく、前記実施例に種々の変更を付加した形態で実施可能であり、本考案はそのような変更形態を包含するものである。
【産業上の利用可能性】
【００７０】
楽器の演奏信号を電気信号として取り出すことは、ギター以外の楽器でもその要求が広がってきており、楽器を吊り下げる、支えるなどの目的で付加されている一般的なエンドピンを持つ楽器においては、このエンドピンに代えて本考案のジャック機構を一体的に組み込まれたエンドピンを適用することができる。
【符号の説明】
【００７１】
１  ギター
２  ギター本体
８  エンドピン
８ｄ  収容孔
８ｅ  ケーブル導入孔
１０  電気信号取り出し機構
１１  ピックアップ
１２  ケーブル
１３，１３Ａ  ジャック機構
１５，２１  第１接続端子
１５ｂ，２１ｂ  接触部
１６，２２  第２接続端子
１６ｂ，２２ｂ  接触部
１７，２３  第３接続端子
１７ｂ，２３ｂ  接触部
１８，２４  保持部材
１８ａ  底部
１８ｂ  スリーブ部
【図１】
0003176690.tif 000003
【図２】
0003176690.tif 000004
【図３】
0003176690.tif 000005
【図４】
0003176690.tif 000006
【図５】
0003176690.tif 000007
【図６】
0003176690.tif 000008
【図７】
0003176690.tif 000009
【図８】
0003176690.tif 000010
【図９】
0003176690.tif 000011